(57)【要約】【解決手段】下側に開口する通路３を有し、この通路３を挟んで表裏両側にポケット袋１ａ，２ａを備えている。両ポケット袋１ａ，２ａの袋口１ｂ，２ｂより所定距離隔てた上方において前記通路３は閉じられている。【効果】下側に開口する通路３の開口部３ａから物品Ｔを押し込む。すると、この物品Ｔは通路３を挟んで表裏両側に位置する２つのポケット袋１ａ，２ａの間を通ってそれよりも奥に達する。２つのポケット袋１ａ，２ａのうちのいずれかに、あるいはそれぞれに物品Ｔを容易に収納できる。ポケット袋に収納されている物品Ｔは、もう一方のポケット袋の袋口部分で押さえられるので、物品Ｔが滑り落ちるのを防止できる。前記通路３の上方は閉じられているので、物品Ｔが通路３の上方から滑り落ちることもない。【選択図】図２
2008081878.tif 000002
【特許請求の範囲】
【請求項１】
下側に開口する通路を有し、この通路を挟んで表裏両側にポケット袋を備え、両ポケット袋の袋口より所定距離隔てた上方において前記通路は閉じられていることを特徴とするポケット。
【請求項２】
通路を閉じる部分を蛇腹としておくことを特徴とする請求項１記載のポケット。
【請求項３】
通路を挟んで表裏両側に位置するポケット袋の袋口が狭くなるように綴じられており、ポケット袋の底側部分が案内線でさらに狭くなっていることを特徴とする請求項１記載のポケット。
【請求項４】
衣類に出入口を形成し、この出入口に通路が通じるように、請求項１〜３のいずれかに記載のポケットを取り付けたことを特徴とする衣類。
【請求項５】
下側に開口する通路の開口部が出入口となるように、請求項１〜３のいずれかに記載のポケットを取り付けたことを特徴とする衣類。
【発明の詳細な説明】
【技術分野】
【０００１】
本発明は、下向きの１つの出入口から携帯電話、眼鏡、クレジットカード、小銭その他の各種物品を出し入れできるようにしたポケットと、このポケットを備えた様々な衣類に関するものである。
【背景技術】
【０００２】
近年の携帯電話の普及に合わせて、それを収納するためのポケット付き衣類が多数提案されている（例えば、特許文献１、２参照）。
【０００３】
【特許文献１】特開２００６−１８３２２４号公報
【０００４】
【特許文献２】特開平１１−１２８２８号公報
【発明の開示】
【発明が解決しようとする課題】
【０００５】
これらのポケットは、１つの出入口の内側にポケット袋を単に縫い付けただけの極めて簡単なものであるから、身体を傾けたり動かしたりすると、収納されている携帯電話が出入口から滑り落ちやすい。
【０００６】
これに対して、本出願人は、上側のポケット口からすっと入れ、その途中に位置する受底部で携帯電話を一旦受け止めておき、下側の取出口から手指を突っ込んで前記受底部を押し上げることにより、その中に受け止められている携帯電話を下側の取出口から取り出すことができるポケット付き衣類を開発し（特許文献３）、既に商品化している。
【０００７】
【特許文献３】特許第３５８９６５５号公報
【０００８】
このポケットであれば、上側のポケット口と下側の取出口の途中に位置する受底部で携帯電話を確実に受け止めておくことができるので、携帯電話が滑り落ちるのを防止することができる。しかしながら、この場合には、上側のポケット口と下側の取出口という２つの出入口を必要とする。また、上側のポケット口から入れて下側の取出口から取り出すための通路として、ある程度の長さがなければならない。
【０００９】
そこで、ただ１つの取出口から携帯電話を出し入れできるようにする方が、縫製工程も少なくて済み、また、通路も短くて済むので、１つの取出口の方式を採用したいところではあるが、この方式のポケットでは、上述したように携帯電話が滑り落ちるという致命的事態が憂慮されるから、その事態はどうしても避けなければならない。
本発明は、このように相反する要望を満たすことのできるポケットとそれを備えた衣類を提供することを目的とするものである。
【課題を解決するための手段】
【００１０】
上記目的を達成するために、本発明によるポケットは、下側に開口する通路を有し、この通路を挟んで表裏両側にポケット袋を備え、両ポケット袋の袋口より所定距離隔てた上方において前記通路は閉じられたものとなっている。
このポケットによれば、下側に開口する通路の開口部から各種物品を押し込む。すると、各種物品は通路を挟んで表裏両側に位置する２つのポケット袋の間を通ってそれよりも奥に達し、各種物品の下側部分を表裏いずれかの方向に手指で案内することにより、２つのポケット袋のうちのいずれかに各種物品を容易に収納できる。
【００１１】
２つのポケット袋のうちのいずれかに収納されている各種物品は、もう一方のポケット袋の袋口部分で押さえられるので、各種物品が滑り落ちるのを防止できる。２つのポケット袋の袋口より所定距離隔てた上方において前記通路は閉じられているので、２つのポケット袋の間を通ってそれよりも奥に押し込まれた各種物品や２つのポケット袋のうちのいずれかに収納されている各種物品が通路の上方から滑り落ちることもない。
【００１２】
２つのポケット袋のそれぞれに、各種物品を収納することもできる。この場合においても、それぞれがもう一方のポケット袋の袋口部分で押さえられるので、２つのポケット袋のそれぞれに収納されている各種物品が滑り落ちるのを防止できる。２つのポケット袋の袋口より所定距離隔てた上方において前記通路は閉じられているので、２つのポケット袋の間を通ってそれよりも奥に押し込まれた各種物品や２つのポケット袋のそれぞれに収納されている各種物品が通路の上方から滑り落ちることもない。
【００１３】
２つのポケット袋のうちの手指で案内しやすい方に各種物品を案内すれば、ポケット袋に容易に収納できる。そして、２つのポケット袋のうちのいずれかに、あるいはそれぞれに収納されている各種物品を手指でポケット袋ごと押し上げると、前記通路を挟んで表裏両側に位置する２つのポケット袋の間を通って下側に開口する通路の開口部から各種物品を容易に取り出すことができる。
【００１４】
通路を閉じる部分を蛇腹としておくことが望ましい。
通路を閉じる部分が蛇腹になっていると、２つのポケット袋の間を通ってそれよりも奥に押し込まれた各種物品が前記蛇腹を押し上げるだけの余裕が生じることになるので、前記通路の長さひいてはポケット全体の大きさをできるだけ小さくすることができる。
【００１５】
通路を挟んで表裏両側に位置するポケット袋の袋口が狭くなるように綴じられており、ポケット袋の底側部分が案内線でさらに狭くなっていることが望ましい。
このようになっていると、ポケット袋の袋口が狭くなっている分各種物品が滑り落ちにくくなるのみならず、ポケット袋の底側部分が案内線でさらに狭くなっているので、各種物品がポケット袋内で妄りに動くのを防止でき、それだけ滑り落ちにくくなる。
【００１６】
一方、本発明の衣類によれば、衣類に出入口を形成し、この出入口に通路が通じるように、上述した４通りのうちのいずれかのポケットを身頃の内側に取り付けている。この場合の衣類はいわゆるインナーポケット形式のものである。
インナーポケット形式の衣類を着用した場合において、前記出入口から各種物品を押し込むと、この出入口に通じている通路を経てその表裏両側に位置する２つのポケット袋の間を通ってそれよりも奥に達し、各種物品の下側部分を表裏いずれかの方向に手指で案内することにより、２つのポケット袋のうちのいずれかに各種物品を容易に収納できる。
【００１７】
また、本発明の衣類によれば、下側に開口する通路の開口部が出入口となるように、上述した４通りのうちのいずれかのポケットを身頃の外側に取り付けている。この場合の衣類はいわゆるアウターポケット形式のものである。
アウターポケット形式の衣類を着用した場合において、下側に開口する通路の開口部である出入口から各種物品を押し込むと、この出入口に通じている通路を経てその表裏両側に位置する２つのポケット袋の間を通ってそれよりも奥に達し、各種物品の下側部分を表裏いずれかの方向に手指で案内することにより、２つのポケット袋のうちのいずれかに各種物品を容易に収納できる。
【００１８】
これらの衣類を着用した場合において、２つのポケット袋のうちのいずれかに収納されている各種物品は、もう一方のポケット袋の袋口部分で押さえられるので、各種物品が滑り落ちるのを防止できる。
また、これらの衣類において、２つのポケット袋の袋口より所定距離隔てた上方において前記通路は閉じられているので、２つのポケット袋の間を通ってそれよりも奥に押し込まれた各種物品や２つのポケット袋のうちのいずれかに収納されている各種物品が通路の上方から滑り落ちることもない。
【００１９】
これらの衣類を着用した場合において、２つのポケット袋のうちの手指で案内しやすい方に各種物品を案内すれば、２つのポケット袋のうちのいずれかに容易に収納できる。一方、２つのポケット袋のうちのいずれかに収納されている各種物品を手指でポケット袋ごと押し上げると、前記通路を挟んで表裏両側に位置する２つのポケット袋の間を通って下側に開口する通路の開口部から各種物品を容易に取り出すことができる。
【００２０】
これらの衣類を着用した場合において、２つのポケット袋のそれぞれに、各種物品を収納することもできる。この場合においても、それぞれがもう一方のポケット袋の袋口部分で押さえられるので、２つのポケット袋のそれぞれに収納されている各種物品が滑り落ちるのを防止できる。２つのポケット袋の袋口より所定距離隔てた上方において前記通路は閉じられているので、２つのポケット袋の間を通ってそれよりも奥に押し込まれた各種物品や２つのポケット袋のそれぞれに収納されている各種物品が通路の上方から滑り落ちることもない。
【発明の効果】
【００２１】
請求項１記載の発明によれば、下側に開口する通路の開口部から押し込んだ各種物品を、通路を挟んで表裏両側に位置する２つのポケット袋のいずれかに容易に収納できる。また、２つのポケット袋のそれぞれに、各種物品を収納することもできる。そして、各種物品がポケット袋から滑り落ちたり、通路の上方から滑り落ちるのを防止できる。
【００２２】
請求項２記載の発明によれば、通路の長さひいてはポケット全体の大きさをできるだけ小さくすることができる。
【００２３】
請求項３記載の発明によれば、ポケット袋の袋口が狭くなっている分各種物品が滑り落ちにくいのみならず、ポケット袋の底側部分が案内線でさらに狭くなっているので、各種物品がポケット袋内で妄りに動かないので、それだけ滑り落ちにくい。
【００２４】
請求項４又は５記載の衣類を着用した場合には、下側に開口する通路の開口部から押し込んだ各種物品を、通路を挟んで表裏両側に位置する２つのポケット袋のいずれかに容易に収納できる。また、２つのポケット袋のそれぞれに、各種物品を収納することもできる。そして、各種物品がポケット袋から滑り落ちたり、通路の上方から滑り落ちるのを防止でき、さらに、ポケット袋に収納されている各種物品を下側に開口する通路の開口部から容易に取り出すことができる。
【発明を実施するための最良の形態】
【００２５】
本発明によるポケット及びそれを備えた衣類の一例を、図面に基いて詳細に説明する。
本発明によるポケットは、図１(a)に示すように、下側に開口する通路３を有し、この通路３を挟んで表裏両側にポケット袋１ａ，２ａを備えており、両ポケット袋１ａ，２ａの袋口１ｂ，２ｂより所定距離隔てた上方において前記通路３は閉じられている。
図１(c)、図３では、本発明によるポケットが表裏両側にポケット袋１ａ，２ａを備えていることを理解しやすいように、表側の生地１をめくった状態で表わす。
【００２６】
このポケットＰは、表裏２枚の生地１，２の下側を互いに内側に折り返し、下縁を除く３辺を縫着４することにより、下側に開口する通路３と、この通路３を挟んで表裏両側にポケット袋１ａ，２ａが形成され、両ポケット袋１ａ，２ａの袋口１ｂ，２ｂより所定距離隔てた上方において前記通路３は閉じられたポケットとなる。
ここでは、表側に位置するポケット袋１ａより裏側に位置するポケット袋２ａの方がやや大きくなるようにして、下側に開口する通路３の開口部３ａから携帯電話、眼鏡クレジットカード、小銭その他の各種物品Ｔを出し入れしやすいようにした場合が例示されている。なお、表裏２枚の生地１，２の左右両側縁部における縫着４については、図１(c)、図３において符号４で示すように裏側の両ポケット袋２ａの下縁手前に達するところまで延長されている。
【００２７】
図２(a)に示すように、下側に開口する通路３の開口部３ａから物品Ｔを押し込む。すると、この物品Ｔは図２(a)の鎖線で示すように通路３を挟んで表裏両側に位置する２つのポケット袋１ａ，２ａの間を通ってそれよりも奥に達し、物品Ｔの下側部分を図２(b)に示すように表裏いずれかの方向に手指で案内することにより、図２(c)に示すように２つのポケット袋１ａ，２ａのうちのいずれかに物品Ｔを容易に収納できる。
図２(c)では、裏側に位置するポケット袋２ａに物品Ｔを収納した場合を示すが、表側に位置するポケット袋１ａに物品Ｔを収納してもよい。２つのポケット袋１ａ，２ａのうち手指で案内しやすい方に物品Ｔを案内すればよい。
【００２８】
２つのポケット袋１ａ，２ａのうち手指で案内しやすい方に物品Ｔを案内すれば、ポケット袋１ａ，２ａのうちにいずれかに容易に収納できる。そして、２つのポケット袋１ａ，２ａのうちのいずれかに収納されている物品Ｔを手指でポケット袋ごと押し上げると、前記通路３を挟んで表裏両側に位置する２つのポケット袋１ａ，２ａの間を通って下側に開口する通路３の開口部３ａから物品Ｔを容易に取り出すことができる。
【００２９】
例えば、裏側に位置するポケット袋２ａに収納されている物品Ｔは、表側に位置するポケット袋１ａの袋口１ｂ部分で押さえられるので、物品Ｔが滑り落ちるのを防止できる。２つのポケット袋の袋口より所定距離隔てた上方において前記通路３は閉じられているので、２つのポケット袋１ａ，２ａの間を通ってそれよりも奥に押し込まれた物品Ｔや２つのポケット袋１ａ，２ａのうちのいずれかに収納されている物品Ｔが通路３の上方から滑り落ちることもない。
【００３０】
２つのポケット袋１ａ，２ａのそれぞれに、物品Ｔを収納することもできる。この場合においても、それぞれがもう一方のポケット袋の袋口部分で押さえられるので、２つのポケット袋のそれぞれに収納されている物品Ｔ，Ｔが滑り落ちるのを防止できる。２つのポケット袋の袋口より所定距離隔てた上方において前記通路３は閉じられているので、２つのポケット袋１ａ，２ａの間を通ってそれよりも奥に押し込まれた物品Ｔや２つのポケット袋１ａ，２ａのそれぞれに収納されている物品Ｔ，Ｔが通路３の上方から滑り落ちることもない。なお、２つのポケット袋１ａ，２ａのうちの一方に例えば携帯電話を、もう一方のポケット袋に別の物品、例えばクレジットカードや小銭を収納することもできる。
【００３１】
物品Ｔが滑り落ちるのをできるだけ防止するために、ポケット袋１ａ，２ａを可能な限り深くしたり、一方のポケット袋を他方のポケット袋より高く（深く）してもう一方のポケット袋を覆い隠し得るようにしたり、少なくとも一方のポケット袋の袋口部分にゴム紐その他の弾性体を備えるなど、様々な工夫を凝らすことができる。
【００３２】
図２(a)には、ポケット袋１ａの袋口１ｂにゴム紐その他の弾性体５を装着した場合の一例を示す。この場合には、裏側に位置するポケット袋２ａに収納されている物品Ｔがこの弾性体５により強く押さえられるので、物品Ｔが滑り落ちるのを一層防止できる。
もう一方のポケット袋２ａの袋口２ｂにゴム紐その他の弾性体５を装着してもよいし、袋口１ｂ，２ｂの両方にゴム紐その他の弾性体５を装着してもよい。
【００３３】
図１(a)、図２(a)〜(c)、図４(b)、図５(b)、図６(b)において符号６で示すように、通路３を閉じる部分を蛇腹としてある。
通路３を閉じる部分が蛇腹６になっていると、図２(a)の鎖線で示すように、２つのポケット袋１ａ，２ａの間を通ってそれよりも奥に押し込まれた物品Ｔが、前記蛇腹６を同図鎖線で示すように押し上げるだけの余裕が生じることになるので、前記通路３の長さひいてはポケットＰ全体の大きさをできるだけ小さくすることができる。
なお、図１(b)に示すように、前記通路３の上方の空間部が上に行くに従って徐々に狭くなるようにするために、八の字状の案内線７，７が形成されるように生地１，２を縫着してある。
【００３４】
また、ここでは、通路３を挟んで表裏両側に位置するポケット袋１ａ，２ａの袋口１ｂ，２ｂが狭くなるように綴じられており、ポケット袋１ａ，２ａの底側部分が案内線１ｃ，２ｃでさらに狭くなっている場合が例示されている。袋口１ｂ，２ｂを狭くするためには、図１(b)，(c)及び図３において符号８で示すように、袋口１ｂ，２ｂ部分を縫着すればよい。また、ポケット袋１ａ，２ａの底側部分を案内線１ｃ，２ｃでさらに狭くするには、案内線１ｃ，２ｃが形成されるようにポケット袋１ａ，２ａを縫着すればよい。
通路３を挟んで表裏両側に位置するポケット袋１ａ，２ａの袋口１ｂ，２ｂ部分と底側部分がこのようになっていると、ポケット袋１ａ，２ａの袋口１ｂ，２ｂが狭くなっている分物品Ｔが滑り落ちにくくなるのみならず、ポケット袋１ａ，２ａの底側部分が案内線１ｃ，２ｃ上の縫着でさらに狭くなっているので、物品Ｔがポケット袋１ａ，２ａ内で妄りに動くのを防止でき、それだけ滑り落ちにくくなる。
【００３５】
このようなポケットＰは、例えば、図４に示すように、Ｔシャツその他各種の上衣Ａの内側に取り付けることができる。この場合においては、ポケットＰは図４(b)に示すように上衣Ａの身頃に出入口Ａ’を形成し、この出入口Ａ’にポケットＰの通路３が通じるように身頃の内側に取り付けるとよい。上衣Ａの身頃の内側において、表側に位置するポケット袋１ａの下縁部は前記出入口Ａ’の上側部分に、また、裏側に位置するポケット袋２ａの下縁部は前記出入口Ａ’の下側部分に縫着すればよい。この場合の上衣Ａはいわゆるインナーポケット形式のものである。
インナーポケット形式のこの上衣Ａを着用した場合において、前記出入口Ａ’から物品Ｔを押し込むと、この出入口Ａ’に通じている通路３を経てその表裏両側に位置する２つのポケット袋１ａ，２ａの間を通ってそれよりも奥に達し、物品Ｔの下側部分を表裏いずれかの方向に手指で案内することにより、２つのポケット袋１ａ，２ａのうちのいずれかに物品Ｔを容易に収納できる。
【００３６】
また、このようなポケットＰは、例えば、図５に示すように、ズボンその他各種の下衣Ｂの内側に取り付けることもできる。この場合においては、ポケットＰは図５(b)に示すように下衣Ｂの身頃に出入口Ｂ’を形成し、この出入口Ｂ’にポケットＰの通路３が通じるように身頃の内側に取り付けるとよい。下衣Ｂの身頃の内側において、表側に位置するポケット袋１ａの下縁部は前記出入口Ｂ’の上側部分に、また、裏側に位置するポケット袋２ａの下縁部は前記出入口Ｂ’の下側部分に縫着すればよい。この下衣Ｂもいわゆるインナーポケット形式のものである。
インナーポケット形式のこの下衣Ｂを着用した場合において、前記出入口Ｂ’から物品Ｔを押し込むと、この出入口Ｂ’に通じている通路３を経てその表裏両側に位置する２つのポケット袋１ａ，２ａの間を通ってそれよりも奥に達し、物品Ｔの下側部分を表裏いずれかの方向に手指で案内することにより、２つのポケット袋１ａ，２ａのうちのいずれかに物品Ｔを容易に収納できる。
【００３７】
一方、このようなポケットＰは、例えば、図６に示すように、下側に開口する通路３の開口部３ａがそのまま出入口Ｃとなるように、例えば前記上衣Ａあるいは下衣Ｂの身頃の外側に取り付けることもできる。この場合の上衣Ａあるいは下衣Ｂはいわゆるアウターポケット形式のものである。
アウターポケット形式のこの上衣Ａあるいは下衣Ｂを着用した場合において、下側に開口する通路３の開口部３ａである出入口Ｃから物品Ｔを押し込むと、この出入口Ｃに通じている通路３を経てその表裏両側に位置する２つのポケット袋１ａ，２ａの間を通ってそれよりも奥に達し、物品Ｔの下側部分を表裏いずれかの方向に手指で案内することにより、２つのポケット袋１ａ，２ａのうちのいずれかに物品Ｔを容易に収納できる。
なお、アウターポケット形式の上衣Ａあるいは下衣Ｂの場合には、取り付けた前記ポケットＰの表側を覆い隠すように、ポケット生地Ｄを重ね縫いしておくことが好ましい。
【００３８】
これらの上衣Ａ、下衣Ｂを着用した場合において、２つのポケット袋１ａ，２ａのうちのいずれかに収納されている物品Ｔは、もう一方のポケット袋の袋口１ｂ又は２ｂ部分で押さえられるので、物品Ｔが滑り落ちるのを防止できる。２つのポケット袋１ａ，２ａのそれぞれに、物品Ｔを収納することもできる。この場合においても、それぞれがもう一方のポケット袋の袋口部分で押さえられるので、２つのポケット袋１ａ，２ａのそれぞれに収納されている物品Ｔ，Ｔが滑り落ちるのを防止できる。
また、これらの上衣Ａ、下衣Ｂにおいて、２つのポケット袋１ａ，２ａの袋口１ｂ，２ｂより所定距離隔てた上方において前記通路３は閉じられているので、２つのポケット袋１ａ，２ａの間を通ってそれよりも奥に押し込まれた物品Ｔや２つのポケット袋１ａ，２ａのうちのいずれかに、あるいはそれぞれに収納されている物品Ｔが通路３の上方から滑り落ちることもない。
【００３９】
これらの上衣Ａ、下衣Ｂを着用した場合において、２つのポケット袋１ａ，２ａのうちの手指で案内しやすい方に物品Ｔを案内すれば、ポケット袋１ａ又は２ａに容易に収納できる。２つのポケット袋１ａ，２ａのそれぞれに、物品Ｔを収納することもできる。そして、２つのポケット袋１ａ，２ａのうちのいずれかに、あるいはそれぞれに収納されている物品Ｔを手指でポケット袋ごと押し上げると、前記通路３を挟んで表裏両側に位置する２つのポケット袋１ａ，２ａの間を通って下側に開口する通路３の開口部３ａから物品Ｔを容易に取り出すことができる。
【００４０】
図４、図５においては、ポケットＰを上衣Ａ、下衣Ｂのそれぞれ左半身側に取り付けた場合が例示されているが、ポケットＰを上衣Ａ、下衣Ｂのそれぞれ右半身側に取り付けてもよいことは勿論である。また、高さ方向における取付位置も図４、図５に示す位置のみに限定されるものではなく、自由である。
【産業上の利用可能性】
【００４１】
本発明によるポケットＰに収納し得るものとしては、物品として例を挙げた携帯電話のみならず、眼鏡、クレジットカード、小銭その他の様々な小物を含む。
また、このポケットＰを備えた衣類としては、上衣として例を挙げたＴシャツや下衣として例を挙げたズボンのみに限定されない。例えば、背広の上衣、ブレザー、カッターシャツ、ポロシャツ、カーディガン、トレーナー、セーター、ベスト、作業服、ワンピースなど、上半身に着用し得るもの全てに適用できる。また、例えば、スラックス、パンツ、スカートなど、下半身に着用し得るもの全てに適用できる。
さらに、本発明は、かばん、ハンドバッグ、ショルダーバッグ、手提げ袋、リュックサックなど、上述した様々な衣類一式以外の各種素材からなる収納・携帯用物品にも広く適用できる。
【図面の簡単な説明】
【００４２】
【図１】本発明によるポケットの一例を示す概略図であって、(a)は断面図、(b)は正面図、(c)は(b)に示すポケットの表側の生地を、めくった状態で示す正面図である。
【図２】図１に示すポケットに、物品を収納する様子を示す拡大断面図で、(a)は下側が開口する通路の開口部から物品を押し込む状態を、(b)は物品の下側部分を裏側に位置するポケット袋に案内する状態を、(c)は裏側に位置するポケット袋に物品が収納された状態を示す。
【図３】図１に示すポケットの表側の生地を、めくった状態で示す斜視図である。
【図４】図１に示すポケットを、上衣であるＴシャツに取り付けた状態を示す概略図で、(a)はその一例を示す正面図、(b)はポケット付近の拡大断面図である。
【図５】図１に示すポケットを、下衣であるズボンに取り付けた状態を示す概略図で、(a)はその一例を示す正面図、(b)はポケット付近の拡大断面図である。
【図６】図４、図５に示すインナーポケット形式の衣類に対し、アウターポケット形式の衣類の一例を示すポケット付近の拡大断面図である。
【符号の説明】
【００４３】
１…生地、１ａ…ポケット袋、１ｂ…袋口、１ｃ…案内線、２…生地、２ａ…ポケット袋、２ｂ…袋口、２ｃ…案内線、３…通路、３ａ…開口部、Ｐ…ポケット、Ｔ…物品、Ａ…上衣、Ａ’…出入口、Ｂ…下衣、Ｂ’…出入口、Ｃ…出入口。
【図１】
2008081878.tif 000003
【図２】
2008081878.tif 000004
【図３】
2008081878.tif 000005
【図４】
2008081878.tif 000006
【図５】
2008081878.tif 000007
【図６】
2008081878.tif 000008